(57)【要約】【課題】入力データに施す処理の選択が、最低限の操作で容易かつ確実に行え、誤操作をなくすことのできるデータ制御装置、データ制御装置の制御方法およびデータ入出力システムを提供すること。【解決手段】表示装置と操作装置とを備えたデータ制御装置、および、入力機器と出力機器とデータ制御装置とを備えたデータ入出力システムにおいて、入力機器を用いて入力が必要な入力データを全て入力し保存した後に、入力データと出力機器に関する情報とを表示装置に表示し、ユーザに操作装置を用いて個々の入力データと出力機器とを関連づけさせることで、個々の入力データに施す処理の選択が、最低限の操作で容易かつ確実に行え、誤操作をなくすことのできるデータ制御装置、データ制御装置の制御方法およびデータ入出力システムを提供することができる。【選択図】図１
2008131552.tif 000002
【特許請求の範囲】
【請求項１】
入力機器から入力された入力データを出力機器に出力するためのデータ制御装置であって、
前記入力データと前記入力データに付属する前記入力データに関する情報とを保存する保存部と、
前記出力機器から送信された前記出力機器に関する情報を受信する出力情報受信部と、
前記入力データを前記出力機器に出力するにあたって必要な情報を表示するための表示装置と、
前記入力データを前記出力機器に出力するにあたって必要な情報を入力するための操作装置と、
前記保存部に保存された前記入力データに付属する前記入力データに関する情報と、前記出力情報受信部で受信された前記出力機器に関する情報とを前記表示装置に表示する表示制御部と、
前記操作装置から入力された、前記表示装置に表示された前記入力データに関する情報と前記出力機器に関する情報とを関連づける関連づけ情報を受信する操作制御部と、
前記操作制御部で受信された前記関連づけ情報に基づいて、前記保存部に保存された前記入力データに所定の処理を施すデータ処理部とを備えたことを特徴とするデータ制御装置。
【請求項２】
前記所定の処理は、前記保存部に保存された前記入力データを、前記関連づけ情報によって関連づけられた出力機器に出力する処理であることを特徴とする請求項１に記載のデータ制御装置。
【請求項３】
前記所定の処理は、前記保存部に保存された前記入力データを、前記関連づけ情報によって関連づけられた出力機器に分類する処理であることを特徴とする請求項１に記載のデータ制御装置。
【請求項４】
前記保存部に保存された前記入力データは、前記所定の処理が終了した後に消去されることを特徴とする請求項１乃至３の何れか１項に記載のデータ制御装置。
【請求項５】
前記操作装置は、前記表示装置の上に配置されたタッチパネル、マウスおよび前記表示装置の周辺に配置されたスイッチを含むことを特徴とする請求項１乃至４の何れか１項に記載のデータ制御装置。
【請求項６】
前記入力データは、文書、画像、音声、動画、テキスト、および他のデータ制御装置や他のユーザからの転送情報を含むことを特徴とする請求項１乃至５の何れか１項に記載のデータ制御装置。
【請求項７】
前記出力機器は、前記データ制御装置が備える出力機器、他のデータ制御装置が備える出力装置、他のユーザ、および任意の情報処理を含むことを特徴とする請求項１乃至６の何れか１項に記載のデータ制御装置。
【請求項８】
入力機器からデータを入力する入力工程と、
前記入力工程で入力された入力データと前記入力データに付属する前記入力データに関する情報とを保存する保存工程と、
出力機器から送信された前記出力機器に関する情報を受信する出力情報受信工程と、
前記保存工程で保存された前記入力データに付属する前記入力データに関する情報と、前記出力情報受信工程で受信された前記出力機器に関する情報とを表示する表示工程と、
前記表示工程で表示された前記入力データに関する情報と、前記出力機器に関する情報の何れかとを関連づける入出力関連づけ工程と、
前記入出力関連づけ工程で行われた関連づけに基づいて、前記保存工程で保存された前記入力データに所定の処理を施すデータ処理工程とを備えたことを特徴とするデータ制御装置の制御方法。
【請求項９】
データを入力するための複数の入力機器と、
データを出力するための複数の出力機器と、
請求項１乃至７の何れか１項に記載のデータ制御装置とを備えたことを特徴とするデータ入出力システム。
【発明の詳細な説明】
【技術分野】
【０００１】
本発明は、データ制御装置、データ制御装置の制御方法およびデータ入出力システムに関し、特に、入力データと出力機器とを表示装置に表示し、操作装置を用いて表示装置上で入力データと出力機器とを関連づけすることにより、入力データに施す処理を設定することができるデータ制御装置、データ制御装置の制御方法およびデータ入出力システムに関する。
【背景技術】
【０００２】
近年、従来のコピー機、プリンタ、ＦＡＸ機等の単機能なオフィス機器に代わって、ＭＦＰ（Ｍｕｌｔｉ  Ｆｕｎｃｔｉｏｎａｌ  Ｐｅｒｉｆｅｒａｌ）と呼ばれる多機能なデータ入出力装置が普及してきており、さらに、ＭＦＰのネットワークへの接続等、高機能化、多機能化の一途をたどっている。それに伴い、以下の理由からユーザはＭＦＰの機能を利用することが困難になっている。１．ＭＦＰ自体がどんな機能を持っているか分からない。２．使いたい機能をどのように呼び出したらいいかが分からない。３．使いたい機能をどのように設定したらいいのか分からない。
【０００３】
そこで、上述した１、２、３の問題点を解決するために、操作指示部の操作性を向上させる方法として、選択されたモード状態に基づいて次に入力可能なキーを明示的に表示する方法が提案されている（例えば、特許文献１参照）。また、余分な入力操作や誤操作によってエラー状態となることを防止し、すばやく目的とする設定を行う方法として、設定項目の設定の変更又は実行等ができるかを表示手段にて表示することによって、設定可能な項目等をユーザが認識でき、ユーザの余分な入力操作を防止し、すばやく正確に所定の設定をおこなうことができる方法が提案されている（例えば、特許文献２参照）。
【０００４】
さらに、任意に選択可能な複数の操作が並存するような場合であっても、その操作手順を的確に報知して、ユーザの操作負担を軽減する方法として、先に操作されたキーに応じて、次に操作する候補キーの点灯を制御し、候補キーが複数ある場合は操作順位をつけて、それぞれ違いのある点灯をさせる方法が提案されている（例えば、特許文献３参照）。
【特許文献１】特開平７−１０４９０３号公報
【特許文献２】特開２００５−１２２６４９号公報
【特許文献３】特開２００５−３１６６５３号公報
【発明の開示】
【発明が解決しようとする課題】
【０００５】
しかし、上述した特許文献１、２、３の方法は何れも、まずユーザに、ユーザがＭＦＰを用いて行いたい作業に関する全ての設定を行わせ、しかる後に入力動作および出力動作が行われるものであり、ユーザが全ての設定を完了しなければ実際の入力動作に入れないという問題点がある。
【０００６】
さらに、例えば原稿をスキャナで読み込み、プリンタで出力する所謂コピー動作を例にとると、原稿の半分をＡ４用紙で片面モノクロコピーし、残り半分をＡ４用紙で両面カラーコピーしたい場合、まず原稿を半分に分けた後、各々の動作をＭＦＰの操作パネルから入力して設定し、しかる後に入出力を行い、原稿を元に戻すことになる。もしカラーコピーが必要なページが原稿中に散在した場合は、原稿をモノクロ用とカラー用とに分けて入出力を行い、原稿を元に戻す作業が必要となり、煩雑な作業となる。自動で原稿のモノクロ／カラー判別が行えても、カラーページだがモノクロ出力が好ましいページが張っていれば対応は不可能となり、結局は人力に頼ることにある。
【０００７】
本発明は、上記事情に鑑みてなされたもので、入力データに施す処理の選択が、最低限の操作で容易かつ確実に行え、誤操作をなくすことのできるデータ制御装置、データ制御装置の制御方法およびデータ入出力システムを提供することを目的とする。
【課題を解決するための手段】
【０００８】
本発明の目的は、下記構成により達成することができる。
【０００９】
１．入力機器から入力された入力データを出力機器に出力するためのデータ制御装置であって、
前記入力データと前記入力データに付属する前記入力データに関する情報とを保存する保存部と、
前記出力機器から送信された前記出力機器に関する情報を受信する出力情報受信部と、
前記入力データを前記出力機器に出力するにあたって必要な情報を表示するための表示装置と、
前記入力データを前記出力機器に出力するにあたって必要な情報を入力するための操作装置と、
前記保存部に保存された前記入力データに付属する前記入力データに関する情報と、前記出力情報受信部で受信された前記出力機器に関する情報とを前記表示装置に表示する表示制御部と、
前記操作装置から入力された、前記表示装置に表示された前記入力データに関する情報と前記出力機器に関する情報とを関連づける関連づけ情報を受信する操作制御部と、
前記操作制御部で受信された前記関連づけ情報に基づいて、前記保存部に保存された前記入力データに所定の処理を施すデータ処理部とを備えたことを特徴とするデータ制御装置。
【００１０】
２．前記所定の処理は、前記保存部に保存された前記入力データを、前記関連づけ情報によって関連づけられた出力機器に出力する処理であることを特徴とする１に記載のデータ制御装置。
【００１１】
３．前記所定の処理は、前記保存部に保存された前記入力データを、前記関連づけ情報によって関連づけられた出力機器に分類する処理であることを特徴とする１に記載のデータ制御装置。
【００１２】
４．前記保存部に保存された前記入力データは、前記所定の処理が終了した後に消去されることを特徴とする１乃至３の何れか１項に記載のデータ制御装置。
【００１３】
５．前記操作装置は、前記表示装置の上に配置されたタッチパネル、マウスおよび前記表示装置の周辺に配置されたスイッチを含むことを特徴とする１乃至４の何れか１項に記載のデータ制御装置。
【００１４】
６．前記入力データは、文書、画像、音声、動画、テキスト、および他のデータ制御装置や他のユーザからの転送情報を含むことを特徴とする１乃至５の何れか１項に記載のデータ制御装置。
【００１５】
７．前記出力機器は、前記データ制御装置が備える出力機器、他のデータ制御装置が備える出力装置、他のユーザ、および任意の情報処理を含むことを特徴とする１乃至６の何れか１項に記載のデータ制御装置。
【００１６】
８．入力機器からデータを入力する入力工程と、
前記入力工程で入力された入力データと前記入力データに付属する前記入力データに関する情報とを保存する保存工程と、
出力機器から送信された前記出力機器に関する情報を受信する出力情報受信工程と、
前記保存工程で保存された前記入力データに付属する前記入力データに関する情報と、前記出力情報受信工程で受信された前記出力機器に関する情報とを表示する表示工程と、
前記表示工程で表示された前記入力データに関する情報と、前記出力機器に関する情報の何れかとを関連づける入出力関連づけ工程と、
前記入出力関連づけ工程で行われた関連づけに基づいて、前記保存工程で保存された前記入力データに所定の処理を施すデータ処理工程とを備えたことを特徴とするデータ制御装置の制御方法。
【００１７】
９．データを入力するための複数の入力機器と、
データを出力するための複数の出力機器と、
１乃至７の何れか１項に記載のデータ制御装置とを備えたことを特徴とするデータ入出力システム。
【発明の効果】
【００１８】
本発明によれば、表示装置と操作装置とを備えたデータ制御装置、および、入力機器と出力機器とデータ制御装置とを備えたデータ入出力システムにおいて、入力機器を用いて入力が必要な入力データを全て入力し保存した後に、入力データと出力機器に関する情報とを表示装置に表示し、ユーザに操作装置を用いて個々の入力データと出力機器とを関連づけさせることで、個々の入力データに施す処理の選択が、最低限の操作で容易かつ確実に行え、誤操作をなくすことのできるデータ制御装置、データ制御装置の制御方法およびデータ入出力システムを提供することができる。
【発明を実施するための最良の形態】
【００１９】
以下、本発明を図示の実施の形態に基づいて説明するが、本発明は該実施の形態に限られない。なお、図中、同一あるいは同等の部分には同一の番号を付与し、重複する説明は省略する。
【００２０】
まず、本発明におけるデータ制御装置およびデータ入出力システムの実施の形態について、図１を用いて説明する。図１は、データ制御装置およびデータ入出力システムの構成を示す機能ブロック図である。
【００２１】
図１において、データ入出力システム１は、入力機能、出力機能およびデータ制御装置１００等から構成される。データ制御装置１００は、データ制御部１０１、表示操作統括部２０１、表示制御部２１１、操作制御部２３１、表示装置２２１および操作装置２４１等で構成される。
【００２２】
まず、データ入出力システム１は、入力機能として、スキャナからの入力機能３０１、ＦＡＸ受信機能３０３、デジタルカメラ（ＤＳＣ）からのデータ受信機能３０５、サーバ、パーソナルコンピュータ（ＰＣ）あるいはストレージからのデータ受信機能３０７、他のデータ入出力装置（ＭＦＰ）あるいは他のデータ入出力システムからのデータ受信機能３０９、メール受信機能３１１、他のユーザからのデータ受信機能３１３等の各種機能を持つ。
【００２３】
また、データ入出力システム１は、出力機能として、プリンタへの印刷機能３３１、ＦＡＸ送信機能３３３、テレビへの表示機能３３５、サーバ、パーソナルコンピュータ（ＰＣ）あるいはストレージへのデータ送信機能３３７、他のデータ入出力装置（ＭＦＰ）あるいは他のデータ入出力システムへのデータ送信機能３３９、メール送信機能３４１、他のユーザへのデータ送信機能３４３、ゴミ箱への廃棄機能３４５等を持つ。データ入出力システム１は、これらの入力機能と出力機能とを組み合わせて実行することで、ユーザにサービスを提供する。入出力機能の組み合わせは、１対１、１対多、多対１、多対多がある。
【００２４】
上述した各種入力機能とデータ制御装置１００を構成するデータ制御部１０１とは入力機器制御１１１によって接続されており、同様に各種出力機能とデータ制御装置１００を構成するデータ制御部１０１とは出力機器制御１２１によって接続されている。入力機器制御１１１および出力機器制御１２１は、上述した各入出力機能および各入出力機能を果たすための入出力機器に対して作成される制御プログラムであり、各入出力機能および入出力機器を制御して入出力動作を行う。
【００２５】
ここでは、各入出力を機能で定義したが、データ入出力システム１と各入出力機器との接続については特に制限はなく、機能が実現できればどのような接続状態であってもよい。例えばスキャナからの入力機能３０１が果たせれば、スキャナ自体はデータ入出力システム１と直接接続されていてもよいし、ネットワークを介して接続されていてもよい。さらに言えば、機能が実現できれば、機器そのものが存在しなくてもよい。例えば、ＦＡＸでの送受信機能が果たせれば、ＦＡＸ機そのものは無くてもよく、例えばＰＣのＦＡＸ送受信機能で代用されてもよい。
【００２６】
さらに、入力機器制御１１１は、各入力機能あるいは各入力機器が処理可能なデータの形式を示す処理可能データ形式リストＡＤＬ、およびデータ入力時の各入力機能あるいは各入力機器の設定のための入力パラメータリストＩＰＬを保持し、出力機器制御１２１は、各出力機能あるいは各出力機器が処理可能なデータの形式を示す処理可能データ形式リストＡＤＬ、およびデータ出力時の各出力機能あるいは各出力機器の設定のための出力パラメータリストＯＰＬを保持している。処理可能データ形式リストＡＤＬ、入力パラメータリストＩＰＬおよび出力パラメータリストＯＰＬについては、図５以降の説明にて詳述する。
【００２７】
データ制御部１０１は、各入力機能によって入力された入力データ１１３を各入力機能を制御する入力機器制御１１１から受信し、受信した入力データ１１３を保存部１０３に保存し、保存部１０３に保存された入力データ１１３を、出力先として選択された出力機能を制御する出力機器制御１２１に送信する。出力先の選択にあたっては、データ制御部１０１単独で、あるいは表示操作統括部２０１と連携して、入力データ１１３と各出力機器制御１２１が持つ各出力機能に関する情報とをユーザに関連づけさせることで出力先を決定する。なお、出力先の選択方法については、図３の説明にて詳述する。
【００２８】
表示操作統括部２０１は、データ制御部１０１あるいは出力機器制御１２１の何れかからの要求に基づいて、表示制御部２１１を介して表示装置２２１に出力機器の選択画面あるいは出力機器のパラメータ設定画面を表示することで、ユーザに、操作装置２４１を用いて出力機器の選択あるいは出力機器のパラメータの設定を行わせ、操作制御部２３１によって検知された選択あるいは設定された各操作情報２４３を操作制御部２３１を介して受信し、データ制御部１０１あるいは出力機器制御１２１の何れかの要求元に返信する。詳細については図２以降の説明にて詳述する。
【００２９】
表示装置２２１は、例えば液晶等で構成され、表示制御部２１１からの表示制御信号２１３に従って文字や画像が表示可能なものである。操作装置２４１は、例えば表示装置２２１の画面上に配置されたタッチパネルであり、ユーザが表示装置２２１に表示された文字や画像の上の操作装置２４１に触れることで、画面の上で選択、入力、削除、移動等の各種の操作を行うことができるものである。操作装置２４１を用いて行われた選択、入力、削除、移動等の各種の操作情報２４３は、操作制御部２３１によって検知され、表示操作統括部２０１に送信される。操作装置２４１は、タッチパネルの他に、マウス、表示装置２２１の周辺に配置されたスイッチ、有線あるいは無線で操作制御部２４３に操作情報２４３を送信できる各種操作機器等であってもよい。
【００３０】
次に、データ入出力システム１におけるデータの入出力動作の第１の実施の形態について、図２乃至図１０を用いて説明する。図２乃至図４は、データ入出力システム１におけるデータの入出力動作の流れを示すフローチャートで、図２はメインルーチン、図３および図４は図２のサブルーチンである。ここでは、データの入出力動作として、紙原稿をスキャナを用いて入力し、プリンタに出力する所謂コピー動作を例にとって説明するが、他の入出力動作であっても、動作の考え方は同じである。
【００３１】
図２において、ステップＳ１０１で、スキャナの原稿受けに置かれた原稿のスキャンが行われ、ステップＳ１１１でスキャナを制御する入力機器制御１１１によって原稿のスキャンデータが生成され、入力データ１１３としてデータ制御部１０１に送信される。ステップＳ１２１で原稿の入力が全て完了したか否かが確認され、完了するまでステップＳ１０１からステップＳ１２１が繰り返される。ここに、ステップＳ１０１からＳ１２１は本発明における入力工程である。
【００３２】
原稿の入力が全て完了したら（ステップＳ１２１；Ｙｅｓ）、ステップＳ１３１で入力データ１１３が保存部１０３に保存される。あるいは、ステップＳ１１１とステップＳ１２１の間にステップＳ１３１を挿入し、入力データ１１３を生成しながら保存部１０３への保存を行うようにしてもよい。ここに、ステップＳ１３１は本発明における保存工程である。
【００３３】
ステップＳ１４０で、図３および図４に示す「入出力機能関連づけサブルーチン」が実行される。ステップＳ１４０で、例えば全ての入力データ１１３に対してプリンタへの印刷機能３３１が関連づけされたとすると、ステップＳ１５１で、データ制御部１０１からプリンタを制御する出力機器制御１２１に全ての入力データ１１３が送信され、ステップＳ１６１で、全ての入力データ１１３がプリンタにより印刷され、ステップＳ１７１で、保存部１０３に保存されていた入力データ１１３が消去され、一連の動作が終了される。ここに、データ制御部１０１は本発明におけるデータ処理部であり、ステップＳ１５１およびＳ１６１は本発明におけるデータ処理工程である。
【００３４】
もしも、ステップＳ１４０で、入力データ１１３に対してストレージへのデータ送信機能３３７と他のデータ入出力装置へのデータ送信機能３３９とが関連づけされたとすると、ステップＳ１５１で、データ制御部１０１からストレージを制御する出力機器制御１２１と他のデータ入出力装置を制御する出力機器制御１２１とに入力データ１１３が分類されて送信され、ステップＳ１６１で、入力データ１１３がストレージと他のデータ入出力装置とに分類されて保存される。
【００３５】
図３は、図２のメインルーチンのステップＳ１４０「入出力機能関連づけサブルーチン」である。
【００３６】
図３において、ステップＳ４０１で、データ制御部１０１によって、各出力機器制御１２１から、各出力機能が出力可能なデータ形式を記載した処理可能データ形式リストＡＤＬが取得される。ここに、データ制御部１０１は本発明における出力情報受信部であり、ステップＳ４０１は本発明における出力情報受信工程である。ステップＳ４０３で、ステップＳ４０１で取得した各出力機能の処理可能データ形式リストＡＤＬと、図２のステップＳ１３１で保存部１０３に保存された入力データ１１３のデータ形式とを比較して、入力データのデータ形式を出力可能な出力機能と出力不可能な出力機能とを判別し、判別結果から出力機能リストＯＣＬが作成される。
【００３７】
ここに、処理可能データ形式リストＡＤＬは、図５に示したようなリストであり、例えばスキャナからの入力機能３０１の場合はイメージとテキストが処理可能であり（図５（ａ））、プリンタへの印刷機能３３１の場合は、スキャナと同じイメージとテキストに加えてアプリケーションの出力も処理可能であり（図５（ｂ））、同じくテレビへの表示機能３３５の場合はムービーとサウンドが処理可能である（図５（ｃ））、といったように各入出力機能で処理可能なデータの形式が記述されたリストである。処理可能データ形式リストＡＤＬは、各入力機器を制御する各入力機器制御１１１あるいは各出力機器を制御する各出力機器制御１２１が保持しており、必要に応じてデータ制御部１０１に提供される。
【００３８】
また、出力機能リストＯＣＬは、図６に示したようなリストであり、ステップＳ４０３での比較の結果が記載されている。本例では、例えばスキャナで入力された文書がテキストであった場合、リストアップされた８つの出力機能のうちテレビへの表示機能３３５は出力が不可能であり、その他のプリンタへの印刷機能３３１、ＦＡＸ送信機能３３３、サーバ、ＰＣあるいはストレージへのデータ送信機能３３７、他のデータ入出力装置（ＭＦＰ）あるいは他のデータ入出力システムへのデータ送信機能３３９、メール送信機能３４１、他のユーザへのデータ送信機能３４３およびゴミ箱への廃棄機能３４５については出力が可能であることが示されている。
【００３９】
図３に戻って、ステップＳ４０５で、ステップＳ４０３で作成された出力機能リストＯＣＬを基にして、データ制御部１０１により、ユーザに入力データ１１３と出力機能の関連づけを求める必要があるか否かが確認される。もしも、入力データ１１３を出力可能な出力機能が１つしか存在しなかった場合、関連づけの必要はないと判断され（ステップＳ４０５；Ｎｏ）、そのままメインルーチンのステップＳ１４０に戻る。入力データ１１３を出力可能な出力機能が複数存在する場合、入出力機能の選択を求める必要があると判断され（ステップＳ４０５；Ｙｅｓ）ステップＳ４１１で、データ制御部１０１から表示操作統括部２０１に対して、ステップＳ４０３で作成された出力機能リストＯＣＬを添付して、出力機能の選択が要求される。
【００４０】
ステップＳ４１３で、表示操作統括部２０１により、ユーザごとに利用制限がかかっているなどの状況に鑑みて、出力機能リストＯＣＬがさらにフィルタリングされる。例えば、ユーザがＦＡＸ送信を許可されていない場合、図６に示した出力機能リストＯＣＬのＦＡＸ送信の項目が、出力可能から不可能に変更される。続いてステップＳ４１５で、表示操作統括部２０１により、表示制御部２１１を介して表示装置２２１に入出力関連づけ画面ＯＳが表示される。ここに、ステップＳ４１５は本発明における表示工程である。
【００４１】
ここに、入出力関連づけ画面ＯＳは図７に示したような画面であり、全ての入力データ１１３を示す画像（以下、アイコンと言う）と、データ入出力システム１が備える出力機能の中で、入力データ１１３を出力可能な全ての出力機能（ここでは、プリンタへの印刷機能３３１、サーバ、ＰＣあるいはストレージへのデータ送信機能３３７、他のデータ入出力装置（ＭＦＰ）あるいは他のデータ入出力システムへのデータ送信機能３３９、メール送信機能３４１、他のユーザへのデータ送信機能３４３およびゴミ箱への廃棄機能３４５とする）を示すアイコンが表示される。出力不可能な出力機能（ここでは、ＦＡＸ送信機能３３３とテレビへの表示機能３３５とする）を示すアイコンは表示されない。
【００４２】
そして、図８に示すように、ユーザは、入出力関連づけ画面ＯＳ上に配置されたタッチパネルからなる操作装置２４１を用いて、例えば指やタッチペン等で入力データ１１３の特定のページ（例えば一番上のページ）のアイコン１１３ａを、関連づけたい出力機能を示すアイコン（例えばプリンタへの印刷機能３３１を示すアイコン）にドラッグすることで、入力データ１１３の一番上のページとプリンタとを関連づけすることができる。
【００４３】
図３に戻って、ステップＳ４１７で、入力データ１１３の特定のページと出力機能との関連づけが完了されたか否かが確認される。関連づけが完了されるまでステップＳ４１７で待機する。ここでは、ユーザにより、入力データ１１３の一番上のページとプリンタへの印刷機能３３１とが関連づけされたものとする。ここに、ステップＳ４１７は本発明における入出力関連づけ工程である。関連づけが完了されたら（ステップＳ４１７；Ｙｅｓ）、ステップＳ４２０で、図４に示す「出力パラメータ設定サブルーチン」が実行されて、入力データ１１３の一番上のページと関連づけされたプリンタへの印刷機能３３１のパラメータが設定される。
【００４４】
ステップＳ４３１で入力データ１１３の全てのページと出力機能との関連づけが完了されたか否かが確認される。全ての関連づけが完了されるまでステップＳ４１７からステップＳ４３１が繰り返される。全ての関連づけが完了されたら（ステップＳ４３１；Ｙｅｓ）ステップＳ４４１で入力データ１１３の全てのページと出力機能との関連づけ情報がデータ制御部１０１から入力データ１１３の各ページと関連づけされた出力機能を制御する出力機器制御１２１に送信され、ステップＳ４４３で、データ制御部１０１により、各出力機能が設定される。
【００４５】
図４は、図３の「入出力機能関連づけサブルーチン」のステップＳ４２０「出力パラメータ設定サブルーチン」である。
【００４６】
図４において、ステップＳ６０１で、プリンタの出力機器制御１２１によって、プリンタの出力機器制御１２１が保持しているプリンタの出力パラメータリストＯＰＬが参照されて、プリンタでの出力時にパラメータの設定が必要か否かが判断される。
【００４７】
ここに、出力パラメータリストＯＰＬは、図９に例示したようなリストであり、例えばプリンタの場合は、例えばＡ４サイズとＢ５サイズのプリント用紙のサイズ選択、カラーとモノクロとのカラー選択、両面プリントおよびプリント部数の設定等ができるといったパラメータが記載されたものである。
【００４８】
もし、プリンタでの出力時に、すでに全てのパラメータが一義的に決まっており、パラメータの設定が不要な場合（ステップＳ６０１；Ｎｏ）には、そのまま図３のステップＳ４２０に戻る。
【００４９】
本例では、図９に例示したプリンタの出力パラメータリストＯＰＬから、プリンタの出力機器制御１２１によって、「用紙サイズ選択」、「カラー選択」、「両面プリント」および「プリント部数」の４つのパラメータの設定が必要と判断され（ステップＳ６０１；Ｙｅｓ）、ステップＳ６１１で、プリンタの出力機器制御１２１から表示操作統括部２０１に対して「用紙サイズ選択」、「カラー選択」、「両面プリント」および「プリント部数」の４つのパラメータの設定が要求される。
【００５０】
ステップＳ６１３で、表示操作統括部２０１によって、ステップＳ６１１で設定が要求されたパラメータの内で自動生成できるものがあれば自動生成される（ここでは、自動生成できるものはないとする）。ステップＳ６１５で、表示操作統括部２０１によって、表示制御部２１１を介して表示装置２２１に出力パラメータ設定ウインドＯＰＳが表示される。
【００５１】
ここに、出力パラメータ設定ウインドＯＰＳは、図１０に例示したような画面であり、ユーザが入力データ１１３の特定のページのアイコン１１３ａをプリンタへの印刷機能３３１を示すアイコンにドラッグして入力データ１１３の特定のページ１１３ａとプリンタへの印刷機能３３１との関連づけを行うと、上述した設定が必要なパラメータを示す４つの設定項目行ＳＣが表示され、ユーザが設定を行う設定項目行ＳＣに例えば指で触れると、その行の設定画面ＳＧが表示される。例えば「プリント部数」を設定する場合は、プリント部数の行に指で触れると、図１０のようにテンキーの画面が現れ、「１０」を指でタッチして入力すると、プリント部数の行に「１０部」と表示される。各画面の形状および入力方法は例示したものに限るものではなく、必要に応じて適切なものが選択されればよい。
【００５２】
ステップＳ６１７で、パラメータの入力が完了されたか否かが確認される。全てのパラメータ入力が完了されるまでステップＳ６１５からステップＳ６１７が繰り返される。全てのパラメータの入力が完了されたら（ステップＳ６１７；Ｙｅｓ）、ステップＳ６２１で、表示操作統括部２０１からプリンタの出力機器制御１２１に対して「用紙サイズ選択」、「カラー選択」、「両面プリント」および「プリント部数」の４つのパラメータが返信され、ステップＳ６２３で、プリンタの出力機器制御１２１によってプリンタにパラメータが設定され、図３の「入出力機能関連づけサブルーチン」のステップＳ４２０に戻る。入力データ１１３と他の出力機能とが関連づけされた場合でも同様である。
【００５３】
上述したように、表示操作統括部２０１は出力パラメータの設定や出力機器の選択を司るが、例えば、出力機器の設定に対する何らかの制限（例えばプリントアウトはモノクロ印刷に限定）等をあらかじめ設定しておくことも可能であり、設定に基づいて出力パラメータを自動生成したり、入出力関連づけ画面ＯＳへの表示内容を変更したりすることもできる。
【００５４】
以上に述べたように、データ入出力システム１におけるデータの入出力動作の第１の実施の形態によれば、ユーザは、例えば紙原稿をスキャナにセットして全ての原稿をスキャンして入力データとして保存部１０３に保存し、表示装置２２１に示された保存部１０３に保存された入力データ１１３を示すアイコンと出力機能を示すアイコンとを関連づけすることで、入力データ１１３の各ページ毎に出力先を選択したり、不要なページをゴミ箱に関連づけることで廃棄したりというように、直感的な方法で入力データ１１３の処理を選択することができ、表示装置２２１と操作装置２４１を用いた最低限の直感的な対話型の操作を順次行うことによって、最終的にユーザが望む出力結果を効率的にかつ確実に得ることができ、さらに誤操作もなくすことができる。
【００５５】
また、表示装置２２１上で操作されるのは保存部１０３に保存された入力データ１１３であり、原稿自身を並べ替えたり仕分けを行ったりしているわけではないので、原稿の並びを元に戻す必要もなく、作業の効率化に寄与する。さらに、データ入出力システム１の備える出力機能がアイコンの形で表示装置２２１に表示されているために、データ入出力システム１で可能な機能が直感的に理解でき、その機能を起動する方法が全て入力データ１１３と出力機能とを関連づけするという統一された方法で行えるため、例えば新しい機能が追加された場合でもユーザが走査方法に戸惑う恐れがない。
【００５６】
さらに、新しいデータ入出力システム１を開発する場合にも、上述したような構成をとることによって、全てを一から開発する必要がなく、入力機器、出力機器毎に独立に開発を行うことが可能になる。しかも、新しい入力機器、出力機器を使用するためのユーザインターフェースも新規に開発する必要がなく、単に新しい機能を示すアイコンとパラメータ設定リストを追加するだけでよく、開発工数が大幅に削減でき、コストダウンに寄与する。
【００５７】
次に、データ入出力システム１におけるデータの入出力動作の第２の実施の形態について、図１１を用いて説明する。図１１は、データの入出力動作の第２の実施の形態を説明するための入出力関連づけ画面ＯＳの第２の例を示す模式図である。データの入出力動作の第２の実施の形態においては、入力データ１１３の特定のページ１１３ａを選択して起動することによって、予め定められた操作を行わせる。
【００５８】
図１１において、ユーザが入力データ１１３の特定のページ（例えば１ページ目）を示すアイコン１１３ａを選択して起動（例えば操作装置２４１を用いてダブルクリック）すると、選択された入力データ１１３ａが表示装置２２１上に拡大されて表示される。図１１の例では、入力データ１１３ａのデータの種類がデータ制御部１０１によって判断され、出力機能（この場合は拡大表示のためのアプリケーション）に暗黙のうちに関連づけされている。
【００５９】
例えば原稿の種類がスキャナで入力された画像であれば、出力機能としてのアプリケーションは画像ビューワであるし、文書データであればワードプロセッサソフトである。このように、原稿の種類から暗黙の関連づけを行ってもよいし、予めユーザが原稿の種類によって関連づけを決めておいてもよい。
【００６０】
さらに、例えば「スキャナで入力された入力データは、必ず１部ずつプリンタで出力する」というようなルールを設定しておけば、従来のコピー機と同様の利用が可能となる。また、例えば伝票を入力した場合は、必ず承認者に送付されるようにルール化しておけば、簡易的なワークフローを形成することも可能となり、データを総合的に扱うデータ入出力システムを構築することができる。これらの処理を行う前に、処理内容の確認表示を行うことで、不必要な処理をユーザがキャンセルできるようにすることも可能である。
【００６１】
以上に述べたように、データの入出力動作の第２の実施の形態によれば、入力データ１１３と出力機能とを暗黙にあるいは既定として関連づけすることにより、ユーザが全ての入力データに対して処理内容を設定することなく処理が可能となり、処理の効率化に寄与することができ、ユーザの設定ミスによる誤処理をなくすこともできる。
【００６２】
次に、データ入出力システム１におけるデータの入出力動作の第３の実施の形態について、図１２を用いて説明する。図１２は、データの入出力動作の第３の実施の形態を説明するための入出力関連づけ画面ＯＳの第３の例を示す模式図である。データの入出力動作の第３の実施の形態においては、入力データ１１３を、複数の出力機能に関連づけする操作について説明する。
【００６３】
図１２において、ユーザは、入出力関連づけ画面ＯＳ上に配置されたタッチパネルからなる操作装置２４１を用いて、例えば指やタッチペン等で入力データ１１３のアイコン１１３ｂを、関連づけたい出力機能を示すアイコン（例えばプリンタへの印刷機能３３１を示すアイコン）にドラッグして、入力データ１１３とプリンタとを関連づけする。関連づけが完了したか否かは、例えば出力機能（例えばプリンタへの印刷機能３３１を示すアイコン）を点滅させる等の方法でユーザに告知される。
【００６４】
ユーザは、そのまま、入力データ１１３のアイコン１１３ｂを次に関連づけたい出力機能（例えばサーバ、ＰＣあるいはストレージへのデータ送信機能３３７を示すアイコン）にドラッグして、入力データ１１３とサーバ、ＰＣあるいはストレージとを関連づけする。関連づけの完了は上述したと同様に告知される。これによって、入力データ１１３は、プリンタで印刷されるとともに、例えばサーバ上のハードディスク等の記録装置に記録される。ここではプリンタとサーバ、ＰＣあるいはストレージとの２つの出力機能への関連づけについて説明したが、３つ以上の出力機能への関連づけを行ってもよい。
【００６５】
さらに、例えばゴミ箱に移動した後にプリンタで印刷する等の明らかに関連づけできない場合が存在する時には、最初からそのような関連づけができないような工夫を行っておくことが望ましい。例えば、一度ゴミ箱に移動する操作が行われた場合には、他の出力機器のアイコンをグレーアウトして選択できなくする、あるいは他の出力機器のアイコン上に×印をつけて選択不能であることが明確に分かるように表示したりする等の方法が考えられる。
【００６６】
以上に述べたように、データの入出力動作の第３の実施の形態によれば、入力データ１１３を複数の出力機能と関連づけることで、簡単に入力データ１１３に複数の処理を同時に施すことが可能となり、処理の効率化に寄与することができる。
【００６７】
以上に述べたように、本発明によれば、表示装置と操作装置とを備えたデータ制御装置、および、入力機器と出力機器とデータ制御装置とを備えたデータ入出力システムにおいて、入力機器を用いて入力が必要な入力データを全て入力し保存した後に、入力データと出力機器に関する情報とを表示装置に表示し、ユーザに操作装置を用いて個々の入力データと出力機器とを関連づけさせることで、個々の入力データに施す処理の選択が、最低限の操作で容易かつ確実に行え、誤操作をなくすことのできるデータ制御装置、データ制御装置の制御方法およびデータ入出力システムを提供することができる。
【００６８】
尚、本発明に係るデータ制御装置、データ制御装置の制御方法およびデータ入出力システムを構成する各構成の細部構成および細部動作に関しては、本発明の趣旨を逸脱することのない範囲で適宜変更可能である。
【図面の簡単な説明】
【００６９】
【図１】データ入出力システムの実施の形態を示す機能ブロック図である。
【図２】データ入出力システムにおけるデータの入出力動作の流れを示すフローチャートのメインルーチンである。
【図３】図２のサブルーチン（１／１）である。
【図４】図３のサブルーチン（１／１）である。
【図５】処理可能データ形式リストの一例を示す模式図である。
【図６】出力機能リストの一例を示す模式図である。
【図７】入出力関連づけ画面の第１の例を示す模式図である。
【図８】図７における入出力の関連づけ動作の一例を示す模式図である。
【図９】出力パラメータリストの一例を示す模式図である。
【図１０】図７における出力パラメータ設定動作の一例を示す模式図である。
【図１１】入出力関連づけ画面の第２の例を示す模式図である。
【図１２】入出力関連づけ画面の第３の例を示す模式図である。
【符号の説明】
【００７０】
１  データ入出力システム
１００  データ制御装置
１０１  データ制御部
１１１  入力機器制御
１１３  入力データ
１２１  出力機器制御
１２３  出力データ
２０１  表示操作統括部
２１１  表示制御部
２１３  表示制御信号
２２１  表示装置
２３１  操作制御部
２４１  操作装置
２４３  操作情報
３０１  スキャナからの入力機能
３０３  ＦＡＸ受信機能
３０５  デジタルカメラ（ＤＳＣ）からのデータ受信機能
３０７  サーバ、パーソナルコンピュータ（ＰＣ）あるいはストレージからのデータ受信機能
３０９  他のデータ入出力装置（ＭＦＰ）あるいは他のデータ入出力システムからのデータ受信機能
３１１  メール受信機能
３１３  他のユーザからのデータ受信機能
３３１  プリンタへの印刷機能
３３３  ＦＡＸ送信機能
３３５  テレビへの表示機能
３３７  サーバ、パーソナルコンピュータ（ＰＣ）あるいはストレージへのデータ送信機能
３３９  他のデータ入出力装置（ＭＦＰ）あるいは他のデータ入出力システムへのデータ送信機能
３４１  メール送信機能
３４３  他のユーザへのデータ送信機能
３４５  ゴミ箱への廃棄機能
ＡＤＬ  処理可能データ形式リスト
ＯＣＬ  出力機能リスト
ＯＳ  入出力関連づけ画面
ＯＰＬ  出力パラメータリスト
ＯＰＳ  出力パラメータ設定ウインド
ＳＣ  設定項目行
ＳＧ  設定画面
【図１】
2008131552.tif 000003
【図２】
2008131552.tif 000004
【図３】
2008131552.tif 000005
【図４】
2008131552.tif 000006
【図５】
2008131552.tif 000007
【図６】
2008131552.tif 000008
【図７】
2008131552.tif 000009
【図８】
2008131552.tif 000010
【図９】
2008131552.tif 000011
【図１０】
2008131552.tif 000012
【図１１】
2008131552.tif 000013
【図１２】
2008131552.tif 000014